(57)【要約】      （修正有）【課題】記録装置の稼働率を向上させる。【解決手段】記録用紙１９０を所定の搬送方向に搬送する搬送部１７０と、搬送部１７０により搬送される記録用紙１９０に対向した位置において、搬送方向と交差する往復移動方向に往復移動するキャリッジ１３０と、キャリッジ１３０により搬送されつつ記録用紙１９０に向かってインクを吐出する記録ヘッド１３４とを備えた記録装置１００であって、キャリッジ１３０が、補助ツールを一時的に保持するホルダを備え、記録ヘッド１３４と共に補助ツールを往復移動させる。【選択図】図１
2007237521.tif 000002
【特許請求の範囲】
【請求項１】
被記録物を所定の搬送方向に搬送する搬送部と、
前記搬送部により搬送される前記被記録物に対向した位置において、前記搬送方向と交差する往復移動方向に往復移動するキャリッジと、
前記キャリッジにより搬送されつつ、被記録物に向かって液体を噴射する液体噴射ヘッドと
を備えた液体噴射装置であって、
前記キャリッジが、任意の補助ツールを一時的に保持する保持部を備え、前記液体噴射ヘッドと共に前記補助ツールを往復移動させる液体噴射装置。
【請求項２】
前記キャリッジが、前記保持部に装着された前記補助ツールに対して電力を供給する電力供給端子を有する請求項１に記載の液体噴射装置。
【請求項３】
前記キャリッジが、前記保持部に装着された前記補助ツールに対して信号を入出力する信号入出力端子を有する請求項１に記載の液体噴射装置。
【請求項４】
前記補助ツールの一部と相補的な形状の保持面と、前記補助ツールを前記保持部に対して固定する保持具と
を前記保持部が含む請求項１に記載の液体噴射装置。
【請求項５】
前記保持部が、前記液体噴射装置の内部に待機する前記補助ツールを外部からの指示に応じて保持する保持動作を実行する請求項１に記載の液体噴射装置。
【請求項６】
媒体を所定の搬送方向に搬送する搬送部と、
前記搬送部に搬送される前記媒体の表面に対向した位置で前記媒体の表面と平行に且つ前記搬送方向と交差する方向に往復移動しつつ前記媒体に対してインクを吐出する記録ヘッドを有する記録キャリッジと、
前記記録キャリッジに設けられ、任意の補助ツールを一時的に保持する保持部と
前記搬送部に搬送される前記媒体の表面に対向した位置で前記媒体の表面と平行に且つ前記搬送方向と交差する方向に往復移動する裁断キャリッジと
を備え、前記記録キャリッジが前記記録ヘッドと共に前記補助ツールを往復移動させる記録裁断複合装置。
【発明の詳細な説明】
【技術分野】
【０００１】
本発明は、液体噴射装置および記録裁断複合装置に関する。より詳細には、媒体上の指定された領域に向かって吐出した液体を付着させる記録動作を実行する液体噴射装置と、記録動作に加え、媒体上の指定された領域を裁断する裁断動作をも実行する記録裁断複合装置とに関する。
【背景技術】
【０００２】
下記特許文献１には、厚さの異なる記録用紙に対応できるプリンタの構造が開示されている。これにより、シート状の記録用紙にとどまらず、光記録媒体等の多種の被記録物に対して高品質な印刷を実行できる。また、特許文献２には、やはりシート状の記録用紙から所望の形状の裁断片を切り出すことができる作画・カッティング両用プロッタが記載されている。この作画・カッティング両用プロッタは、往復移動する作画ヘッドと、作画ヘッドの往復移動方向に直交する方向に記録用紙を搬送するローラ群とを備え、記録用紙を全面にわたって作画ヘッドで走査できる。従って、作画ヘッドに筆記用具を装着した場合は画像を記録することができ、作画ヘッドに刃物を装着した場合は記録用紙から所望の形状の裁断片を切り出すことができる。
【特許文献１】特開２００２−２１９８３６号公報
【特許文献２】特開２００１−２２５２９７号公報
【発明の開示】
【発明が解決しようとする課題】
【０００３】
特許文献１に記載されたようなインクジェット式記録装置は、生産ラインあるいは店舗等で工業用あるいは業務用として用いられるものを除く汎用品では、その稼働率は決して高くない。また、特許文献２に記載されているように、他の機能を付加して利用範囲を拡大することも提案されている。しかしながら、ユーザの用途に応じて求められる記録用紙に対する加工の種類は様々であり、記録と裁断の２つの機能に固定された複合装置では、依然として、稼働率が十分に高いとはいえない。
【課題を解決するための手段】
【０００４】
そこで、上記課題の解決を目的として、本発明の第１の形態として、被記録物を所定の搬送方向に搬送する搬送部と、搬送部により搬送される被記録物に対向した位置において、搬送方向と交差する往復移動方向に往復移動するキャリッジと、キャリッジにより搬送されつつ、被記録物に向かって液体を噴射する液体噴射ヘッドとを備えた液体噴射装置であって、キャリッジが、任意の補助ツールを一時的に保持する保持部を備え、液体噴射ヘッドと共に補助ツールを往復移動させる液体噴射装置が提供される。これにより、被記録物の表面を全面にわたって走査する液体噴射装置のハードウェア資源を活用して、他の用途にも利用することができる。従って、記録裁断複合装置の実効的な稼働率を向上させて、工業資源をより高効率に使用することができる。
【０００５】
また、ひとつの実施形態として、上記液体噴射装置において、キャリッジが、保持部に装着された補助ツールに対して電力を供給する電力供給端子を有する。これにより、電力の供給を受けて動作する補助ツールをキャリッジに装着して使用できる。従って、使用できる補助ツールの範囲を拡大できる。
【０００６】
また、他の実施形態として、上記液体噴射装置において、キャリッジが、保持部に装着された補助ツールに対して信号を入出力する信号入出力端子を有する。これにより、電気信号を取り扱う補助ツールをキャリッジに装着して使用できる。従って、使用できる補助ツールの範囲を更に拡大できる。
【０００７】
また、他の実施形態として、上記液体噴射装置において、補助ツールの一部と相補的な形状の保持面と、補助ツールを補助面に対して固定する保持具とを保持部が含む。これにより、補助ツールを所定の位置に確実に保持できるので、補助ツールの動作が安定する。また、補助ツールの脱着も容易になる。
【０００８】
また、他の実施形態として、上記液体噴射装置において、保持部が、液体噴射装置の内部に待機する補助ツールを外部からの指示に応じて保持する保持動作を実行する。これにより、補助ツールの脱着を自動化して、取り扱いをより容易にできる。また、刃物を備えた補助ツール等も安全に取り扱うことができる。
【０００９】
更に、本発明の第２の形態として、媒体を所定の搬送方向に搬送する搬送部と、搬送部に搬送される媒体の表面に対向した位置で媒体の表面と平行に且つ搬送方向と交差する方向に往復移動しつつ媒体に対してインクを吐出する記録ヘッドを有する記録キャリッジと、記録キャリッジに設けられ、任意の補助ツールを一時的に保持する保持部と搬送部に搬送される媒体の表面に対向した位置で媒体の表面と平行に且つ搬送方向と交差する方向に往復移動する裁断キャリッジとを備え、記録キャリッジが記録ヘッドと共に補助ツールを往復移動させる記録裁断複合装置が提供される。これにより、記録裁断複合装置においても、被記録物の表面を全面にわたって走査するハードウェア資源を活用して、他の用途にも利用することができる。従って、記録裁断複合装置の実効的な稼働率を向上させて、工業資源をより高効率に使用することができる。
【００１０】
なお、上記した発明の概要は、本発明の必要な特徴の全てを列挙したものではない。また、これらの特徴群のサブコンビネーションもまた発明となり得る。
【発明を実施するための最良の形態】
【００１１】
以下、発明の実施の形態を通じて本発明を説明するが、以下の実施形態は特許請求の範囲にかかる発明を限定するものではない。また実施形態の中で説明されている特徴の組み合わせの全てが発明の解決手段に必須であるとは限らない。
【００１２】
図１は、本発明の実施形態に係る記録装置１００の全体形状を示す斜視図である。同図に示すように、この記録装置１００は、記録用紙１９０に対してインクを付着させて画像を記録する内部機構２００を収めた筐体１８０と、筐体１８０の後方に装着されたペーパサポート１１０と、筐体１８０の前方に装着された排出トレイ１６０とを備える。
【００１３】
筐体１８０の内部には、ペーパサポート１１０から取り込んだ記録用紙１９０を、図中に矢印Ｙで示す搬送方向に搬送する搬送部１７０および排出部１４０と、それらの間に配置されたプラテン１５０と、後述するキャリッジ１３０が配置ささている。ただし、図１では、搬送部１７０および排出部１４０の一部は記録用紙１９０の下に隠れており、記録用紙１９０上の搬送従動ローラ１７４および排出従動ローラ１４４が見えている。
【００１４】
また、プラテン１５０の上方には、プラテン１５０と平行にガイド軸１２０が配置されている。キャリッジ１３０は、ガイド軸１２０を挿通されて、プラテン１５０上を水平に移動できる。更に、キャリッジ１３０の後方には、無端ベルト１２２が張り渡され、その一部がキャリッジ１３０に結合されている。無端ベルト１２２は、少なくとも一方が回転駆動される一対のプーリの間に張り渡され、その間では水平に走行する。従って、無端ベルト１２２に結合されたキャリッジ１３０は、図中に矢印Ｘで示すように、プーリの回転に応じて往復移動する。なお、キャリッジ１３０は、インクカートリッジ１３２を装荷されると共に、その底面に記録ヘッド１３４を備える。
【００１５】
図２は、上記記録装置１００における記録用紙１９０の内部機構２００を模式的に示す断面図である。同図に示すように、搬送部１７０において、搬送従動ローラ１７４は、搬送駆動ローラ１７２に向かって付勢されて、記録用紙１９０を搬送駆動ローラ１７２に押し付ける。搬送駆動ローラ１７２は回転駆動されるので、ペーパサポート１１０から取り込まれて自身に押し付けられた記録用紙１９０を、プラテン１５０上に送り込む。また、プラテン１５０上を通過した記録用紙１９０は、やがて排出部１４０に到達する。排出従動ローラ１４４も、排出駆動ローラ１４２に向かって付勢され、記録用紙１９０を排出駆動ローラ１４２に押し付ける。排出駆動ローラ１４２も回転駆動されているので、記録用紙１９０を排出トレイ１６０に向かって送り出す。
【００１６】
一方、搬送部１７０および排出部１４０の間において、プラテン１５０は記録用紙１９０を下から支持して鉛直方向の位置決めをする。プラテン１５０の上方に位置するキャリッジ１３０の下面にはインクを吐出する記録ヘッド１３４が装着されているので、プラテン１５０上に位置する記録用紙１９０に対してインクを吐出して付着させることができる。また、このような搬送部１７０および排出部１４０による記録用紙１９０のＹ方向の搬送と、前記したキャリッジ１３０のＸ方向の往復移動とを組み合わせることにより、キャリッジ１３０に搬送された記録ヘッド１３４は、カッタ２５０は記録用紙１９０表面の任意の領域に対してインクを付着させることができる。
【００１７】
更に、再び図１を参照すると、図中に示すように、キャリッジ１３０は、その前面に電力供給用電極１３８、信号入出力用電極１３９およびネジ穴１３６を備える。また、電力供給用電極１３８および信号入出力用電極１３９が形成された面と、ネジ穴１３６を形成された面との間には段差が形成されており、後述する補助ツール５００の一部と相補的な形状を有する。
【００１８】
上記のような構造により、このキャリッジ１３０には、後述するような補助ツール５００を一時的に装着することができる。また、装着した補助ツール５００は、ネジ穴１３６を利用して容易にはずれないように固定できる。更に、電力供給用電極１３８を介して補助ツール５００に電力を供給し、あるいは、信号入出力用電極１３９を介して補助ツール５００と信号をやりとりすることもできる。
【００１９】
図３は、図１に示した記録装置１００において使用し得る補助ツール５００の例を示す斜視図である。同図に示すように、この補助ツール５００は、キャリッジ１３０の前面と相補的な形状を有する背面形状を有する筐体５１０と、と、キャリッジ１３０のネジ穴１３６に螺入できる一対の止めネジ５２０と、筐体５１０を縦に貫通して昇降できる昇降シリンダ５３０とを備えている。また、昇降シリンダ５３０の下端には、カッタ５４０が保持されている。
【００２０】
図４は、図３に示した補助ツール５００を裏面から見た様子を示す図である。同図に示すように、筐体５１０の裏面には止めネジ５２０が突出しており、キャリッジ１３０のネジ穴１３６に螺入できる。また、筐体５１０の裏面下部には電力供給用電極５５０が、裏面上部には信号入出力用電極５６０がそれぞれ設けられている。従って、この補助ツール５００をキャリッジ１３０に装着した場合、電力供給用電極１３８、５５０、信号入出力用電極１３９、５６０がそれぞれ導通して、補助ツール５００に対しても電力が供給され、また、信号も入出力される。従って、記録装置１００を介して電力と信号を供給することにより、昇降シリンダ５３０を適宜昇降させ、カッタ５４０により記録用紙１９０を裁断することができる。
【００２１】
更に、この補助ツール５００は、カッタ５４０に換えて、例えば所謂筆ペンを昇降シリンダ５３０に保持させることにより、記録用紙１９０に対して筆書を実行させることもできる。これにより、単なる毛筆体の印刷とは異なる効果を得ることができる。他にも、ステンシル用パッド、サンドペーパ、ホットナイフ等を昇降シリンダ５３０に装着することにより、インクジェット方式では得られない効果を発現する補助ツール５００を記録装置１００に付加できる。
【００２２】
また更に、それ自体の機能が異なる補助ツール５００を装着できる。例えば、撮像素子が実装された補助ツール５００を装着することにより、記録装置１００を読取装置として使用することもできる。また、補助ツール５００として紫外線ランプを装着することにより、紫外線硬化性のインクの使用もできる。更に、赤外線ランプまたはヒータを装着して、記録用紙１９０に付着したインクの乾燥を促進することもできる。
【００２３】
図５は、図１に示した記録装置１００を含む記録システム４００の構造を模式的に示す図である。同図に示すように、記録システム４００は、記録装置１００に対して、制御装置としての情報処理装置４１０を接続して形成されている。また、情報処理装置４１０は、ユーザからの入力手段であるキーボード４１２およびマウス４１４と、ユーザに対して画像を表示する表示装置４２０を備えている。また、この情報処理装置４１０は、記録媒体に対して情報を読み書きするディスクドライブ４１６、外部と通信することにより情報をやりとりできる通信回線（不図示）も備えている。従って、ディスクドライブ４１６に装入した記録媒体あるいは通信回線等を介して、記録装置１００を制御するプログラムを情報処理装置４１０にインストールすることもできる。これにより、情報処理装置４１０は、記録システム４００を所定の制御方法に従って動作させられるようになる。
【００２４】
なお、ここで用いられている記録装置１００は、図１に示した記録装置１００と同じ内部構造を有するが、図中に示すように、筐体１８０の上面および正面の中央部をカバー１８４により覆われている。従って、キャリッジ１３０等の内部機構２００は外部から見えなくなっている。また、主に安全性の見地から、カバー１８４を開くと記録装置１００は動作を停止する。
【００２５】
上記のような記録システム４００において、ユーザは、キーボード４１２、マウス４１４等を介して情報処理装置４１０を操作することにより、記録装置１００に対して所望の画像を記録させる記録動作の実行を指示できる。更に、この記録システム４００においては、情報処理装置４１０から、キャリッジ１３０に装着した補助ツール５００の動作をも指示できる。上記のような形態に鑑みて、補助ツール５００を単独で供給する場合は、補助ツール５００に、その補助プログラムを添付して供給することが好ましい。逆に、補助ツール５００がキャリッジ１３０に装着されていないにもかかわらず、情報処理装置４１０が補助ツール５００に対する指示を発生した場合は、何らかのエラーメッセージを返す手段を設けることが好ましい。
【００２６】
図６は、他の実施形態に係る記録装置１００の構造を模式的に示す斜視図である。同図に示すように、この記録装置１００は、図１に示した記録装置１００に似た内部構造を有するので、共通の構成要素に対しては同じ参照符号を付して重複する説明を省く。
【００２７】
図６に示す記録装置１００に固有の構造上の特徴は、補助ツール５００を保持するホルダ１５２、１３１が、プラテン１５０側とキャリッジ１３０側にそれぞれ設けられている点にある。即ち、プラテン１５０上であって、筐体１８０の左端に設けられたリッド１８２の裏には、後述する補助ツール５００を保持できるホルダ１５２が配置されている。また、キャリッジ１３０の左側の側面にも、補助ツール５００を保持できるホルダ１５２が形成されている。更に、図示は省略したが、各ホルダ１５２、１３１は、それぞれ個別に動作させることができる磁力発生手段、例えばコイルを備えている。
【００２８】
図７は、図６に示す記録装置１００に装着できる補助ツール５００の外形を示す斜視図である。同図に示すように、この補助ツール５００は、円筒形の筐体５１０と、その下端に装着されたカッタ５４０とを有する。また、筐体５１０側面の中程には、磁性体材料で形成された帯部５７０を備えている。
【００２９】
図７に示した補助ツール５００は、当初はプラテン１５０に配置されたホルダ１５２に保持される。これに対して、キャリッジ１３０がその往復移動範囲の左端まで移動すると、補助ツール５００は、プラテン１５０側のホルダ１５２およびキャリッジ１３０側のホルダ１３１の両方に把持される。続いて、キャリッジ１３０側の磁力発生手段を動作させつつキャリッジ１３０を移動させることにより帯部５７０を吸着されて、補助ツール５００はキャリッジ１３０と共に移動する。ホルダ１５２から離れると補助ツール５００はホルダ１３１の弾性により保持されるので、磁力発生手段の動作は停止してよい。また、キャリッジ１３０から補助ツール５００を取り外す場合は、やはり、ホルダ１５２、１３１が同時に保持ツールを保持した状態で、プラテン１５０側の磁力発生手段を動作させればよい。
【００３０】
なお、図７に示した補助ツール５００の筐体５１０は、図３および図４に示した補助ツール５００よりも小さい。従って、この筐体５１０の内部に昇降機構、信号処理回路等を実装することが難しい場合がある。従って、このような形態の場合は、キャリッジ１３０に設けたホルダ１３１自体がキャリッジ１３０に対して昇降する構造が好ましい。これにより、補助ツール５００の構造を単純化できる。
【００３１】
図８は、他の実施形態として、記録装置１００と同等の機能を有する記録部２２に、更に裁断部２４を組み合わせた記録裁断複合装置３００の構造を概観する斜視図である。同図に示すように、この記録裁断複合装置３００は、下段の裁断部２４に、上段の記録部２２を積層して配置して、単一の筐体３８０により一体とした。また、上段の記録部２２から下段の裁断部２４に記録用紙１９０を搬送するリフトトレイ３６０を筐体３８０の前面に備えている。なお、上段の記録部２２の構造は、図１に示した記録装置１００の内部機構２００と略共通する。そこで、図１に示した記録装置１００と共通の機能を有する部材には図１と同じ参照符号を付して重複する説明を省いている。記録部２２の構造が記録装置１００と異なる点は、記録装置１００の排出トレイ１６０が取り除かれ、上昇したリフトトレイ３６０がそれに替わる点にある。
【００３２】
記録部２２で画像を記録された記録用紙１９０は、排出従動ローラ１４４を含む排出部１４０により、筐体３８０の前面に装着されたリフトトレイ３６０上に送り出される。リフトトレイ３６０は、筐体３８０の前面で、筐体３８０に対する角度を一定に保ったまま上下に昇降でき、記録部２２が記録用紙１９０を排出する場合は、排出部１４０の前方まで上昇する。これにより、記録部２２において画像を記録された記録用紙１９０は、リフトトレイ３６０上に載り、リフトトレイ３６０が降下することにより下段の裁断部２４の前方に移動される。即ち、リフトトレイ３６０は、記録部２２に対しては排出トレイ１６０として機能して、裁断部２４に対しては装入トレイとして機能する。
【００３３】
なお、リフトトレイ３６０を昇降させる機構は筐体３８０に収容されており、連結部３６２を介してリフトトレイ３６０を変位させる。昇降機構については図９を参照して後述する。また、下段の裁断部２４においては、リフトトレイ３６０から記録用紙１９０が筐体３８０内に取り込まれ、後方の排出と３１０に向かって送り出される。記録用紙１９０は、後述する裁断搬送部３４０および裁断排出部３９０についても、図９を参照して次に説明する。
【００３４】
図９は、図８に示した記録裁断複合装置３００の動作を説明する模式図であり、図８と共通の構成要素には同じ参照符号を付して重複する説明を省いた。
【００３５】
同図に示すように、リフトトレイ３６０は、その端部に形成されたねじ穴に挿通されたボールねじ３６６により支持されている。また、ボールねじ３６６の下端にはボールねじ駆動部３６４が結合されており、ボールねじ３６６を回転駆動できる。従って、ボールねじ駆動部３６４を適宜動作させることにより、リフトトレイ３６０を、図中に矢印Ｅで示すように、上昇または降下させることができる。
【００３６】
また、降下したリフトトレイ３６０の後方には、裁断搬送部３４０、裁断プラテン３５０、裁断排出部３９０および裁断排出トレイ３１０が順次配置される。リフトトレイ３６０により供給される記録用紙１９０は、まず、裁断搬送部３４０に取り込まれる。裁断搬送部３４０は、回転駆動される搬送駆動ローラ３４２と、搬送駆動ローラ３４２に向かって付勢されつつ連れ回される搬送従動ローラ３４４を備える。従って、記録用紙１９０は、搬送駆動ローラ３４２の回転に従って、裁断プラテン３５０上に送り込まれる。
【００３７】
裁断プラテン３５０上を通り過ぎた記録用紙１９０は、やがて裁断排出部３９０に到達する。裁断排出部３９０は、回転駆動される排出駆動ローラ３９２と、排出駆動ローラ３９２に向かって付勢されつつ連れ回される排出従動ローラ３９４を備える。従って、記録用紙１９０は、排出駆動ローラ３９２の回転に従って、裁断排出トレイ３１０上に送り出される。
【００３８】
更に、裁断プラテン３５０の上方には、裁断キャリッジ３３０が配置されている。裁断キャリッジ３３０は、記録部２２におけるキャリッジ１３０と同様に、裁断プラテン３５０と平行に配置されたガイド軸３２０を挿通され、無端ベルト３２２により駆動されて、記録用紙１９０の搬送方向と直交する方向に往復移動する。また、裁断キャリッジ３３０は、自身に対して昇降するカッタ２５０を備えている。従って、前記裁断搬送部３４０および裁断排出部３９０による搬送と、裁断キャリッジ３３０の往復移動とを組み合わせることにより、裁断キャリッジ３３０は、記録用紙１９０表面の全体を走査できる。更に、所望の位置においてカッタ２５０を降下させて記録用紙１９０に貫入させることにより、記録用紙１９０を所望の形状に裁断できる。
【００３９】
なお、裁断部２４において、説明の便宜上、筐体３８０の前側を裁断搬送部３４０、後方を裁断排出部３９０として記載した。しかしながら、記録用紙１９０からひとつの裁断領域を切り出すには、記録用紙１９０を少なくとも１往復させる。従って、裁断搬送部３４０および裁断排出部３９０は、記録用紙１９０を筐体３８０の後方に向かっても、前方に向かっても搬送する。このため、最終的に裁断を終えた記録用紙１９０を、筐体３８０の前方に排出させることもできる。
【００４０】
以上、本発明を実施の形態を用いて説明したが、本発明の技術的範囲は上記実施の形態に記載の範囲には限定されない。上記実施の形態に、多様な変更または改良を加え得ることは当業者に明らかである。その様な変更または改良を加えた形態が本発明の技術的範囲に含まれ得ることは、特許請求の範囲の記載から明らかである。
【図面の簡単な説明】
【００４１】
【図１】ひとつの実施形態に係る記録装置１００の全体の形状を示す斜視図である。
【図２】図１に示した記録装置１００における記録用紙１９０の内部機構２００を示す図である。
【図３】図１に示す記録装置１００で使用できる補助ツール５００の例を示す斜視図である。
【図４】図３に示す補助ツール５００を裏面から見た様子を示す図である。
【図５】記録装置１００を含む記録システム４００の全体の構造を示す模式図である。
【図６】他の実施例に係る記録装置１００の構造を示す斜視図である。
【図７】図６に示す記録装置１００に装着できる補助ツール５００の外形を示す斜視図である。
【図８】他の実施例となる記録裁断複合装置３００の外観を示す斜視図である。
【図９】図７に示した記録裁断複合装置３００の内部構造を模式的に示す図である。
【符号の説明】
【００４２】
２２  記録部、２４  裁断部、１００  記録装置、１１０  ペーパサポート、１２０、３２０  ガイド軸、１２２、３２２  無端ベルト、１３０  キャリッジ、１３１、１５２  ホルダ、１３２  インクカートリッジ、１３４  記録ヘッド、１３６  ネジ穴、１３８、５５０  電力供給用電極、１３９、５６０  信号入出力用電極、１４０  排出部、１４２、３９２  排出駆動ローラ、１４４、３９４  排出従動ローラ、１５０  プラテン、１６０  排出トレイ、１７０  搬送部、１７２、３４２  搬送駆動ローラ、１７４、３４４  搬送従動ローラ、１８０、５１０、３８０  筐体、１８２  リッド、１８４  カバー、１９０  記録用紙、２００  内部機構、２５０、５４０  カッタ、３００  記録裁断複合装置、３１０  裁断排出トレイ、３３０  裁断キャリッジ、３４０  裁断搬送部、３５０  裁断プラテン、３６０  リフトトレイ、３６２  連結部、３６４  ボールねじ駆動部、３６６  ボールねじ、３９０  裁断排出部、４００  記録システム、４１０  情報処理装置、４１２  キーボード、４１４  マウス、４１６  ディスクドライブ、４２０  表示装置、５００  補助ツール、５２０  ネジ、５３０  昇降シリンダ、５７０  帯部
【図１】
2007237521.tif 000003
【図２】
2007237521.tif 000004
【図３】
2007237521.tif 000005
【図４】
2007237521.tif 000006
【図５】
2007237521.tif 000007
【図６】
2007237521.tif 000008
【図７】
2007237521.tif 000009
【図８】
2007237521.tif 000010
【図９】
2007237521.tif 000011